(57)【特許請求の範囲】
【請求項１】
ターシャリーブタノールと炭素数１〜３のアルコールの少なくとも１種とからなり、ターシャリーブタノールの含有量が４０重量％以上で、融点が１５℃以下である、炭化水素溶剤を含まない洗浄剤。
【請求項２】
ターシャリーブタノールとエタノールからなるか、或いはターシャリーブタノールとエタノールとノルマルプロパノールおよびイソプロパノールの少なくとも一方とからなる請求項１記載の洗浄剤。
【請求項３】
融点が０℃以下である請求項１または２記載の洗浄剤。
【請求項４】
ターシャリーブタノール４０〜９６重量％と炭素数１〜３のアルコールの少なくとも１種６０〜４重量％とからなる、炭化水素溶剤を含まない洗浄剤。
【請求項５】
ターシャリーブタノール４０〜９６重量％とエタノール６０〜４重量％とからなるか、或いはターシャリーブタノール４０〜９６重量％とエタノール４５〜３．５重量％とノルマルプロパノールおよびイソプロパノールの少なくとも一方１５〜０．５重量％とからなる請求項４記載の洗浄剤。
【発明の詳細な説明】
【０００１】
【発明の属する技術分野】
本発明は油脂性物質の除去に有効に使用できる洗浄剤に関する。より詳細には、本発明は、電気・電子部品、光学部品をはじめとする各種精密機器、その他の機械装置や器具類、ガラス、プラスチック、セラミック製品などに付着している油脂性物質を良好に取り除くことのできる、取り扱い性に優れる汎用性のある非ハロゲン系洗浄剤に関する。
【０００２】
【従来の技術】
従来、油脂性物質を取り除くための洗浄剤としては、塩素化炭化水素、弗素化炭化水素などのようなハロゲン系洗浄剤が洗浄力に優れることから汎用されてきた。しかしながら、ハロゲン系洗浄剤は、成層圏のオゾン層を破壊したり、温室効果をもたらすなどの地球環境の悪化の要因となることから、その使用が制限されることになった。
そこで、近年、地球環境の悪化をもたらさない代替洗浄剤の開発が急務となっており、油脂性物質の洗浄除去を目的として、アルコール系洗浄剤、テルペン系洗浄剤、炭化水素系洗浄剤、水系洗浄剤などの多くの洗浄剤が提案されている。しかし、種々の油脂性物質に対して共通して高い洗浄力を有し、取り扱い性に優れ、速乾性で洗浄作業の効率化をはかることができ、しかも安価に供給することができるという種々の要求を同時に満足し得る、ハロゲン系洗浄剤に代わる洗浄剤が未だ得られていないのが現状である。
【０００３】
【発明が解決しようとする課題】
本発明の目的は、成層圏のオゾン層の破壊、温室効果等の地球環境の悪化を招かず、種々の油脂性物質に対して高い洗浄力を発揮して汎用性があり、速乾性、取り扱い性に優れ、洗浄後は速やかに乾燥できて洗浄作業の効率化をはかることができ、しかも経済的な価格で供給できて、電気・電子部品、光学部品などの各種精密機器、その他の機械装置や器具、ガラス、プラスチック、セラミック製品などの洗浄に有効に使用できる洗浄剤を提供することである。
【０００４】
【課題を解決するための手段】
上記の目的を達成すべく本発明者らは鋭意検討を重ねてきた。その結果、融点が約２６℃であって、室温（２５℃）下で通常使用される洗浄剤の主成分としては従来積極的に用いられることのなかったターシャリーブタノールに対して一定量以上の炭素数１〜３のアルコールを混合すると常温で液状を呈するアルコール混合物が得られることを見出した。そしてそれにより得られたアルコール混合物を種々の油脂性物質の除去に用いたところ、種々の油脂性物質に対して高い洗浄力を示すこと、取り扱い性に優れていること、速乾性であり洗浄作業の効率化を図れること、しかも低コストであることを見出し、それらの知見に基づいて本発明を完成した。
【０００５】
すなわち、本発明は、ターシャリーブタノールと炭素数１〜３のアルコールの少なくとも１種とからなり、ターシャリーブタノールの含有量が４０重量％以上で、融点が１５℃以下である、炭化水素溶剤を含まない洗浄剤である。
【０００６】
【発明の実施の形態】
以下に本発明について説明する。
本発明の洗浄剤の主成分をなすターシャリーブタノール（以下「ｔ−ブタノール」という）は、融点が２５．５５℃で、沸点が８２．５０℃の第３級アルコールである。ｔ−ブタノールは、一般にｔ−ブチル化剤などとして合成化学の分野で汎用されているが、融点が約２６℃と高くて常温では固体状を呈していることから、通常、それ単独で洗浄剤としては従来用いられていない。
【０００７】
本発明の洗浄剤は、ｔ−ブタノールを４０重量％以上の割合で含有することがその洗浄力などの点から必要である。また、本発明の洗浄剤におけるｔ−ブタノールの含有量の上限値は、ｔ−ブタノールと併用する炭素数１〜３のアルコールの種類などに応じて、ｔ−ブタノールと該炭素数１〜３との混合物の融点が１５℃以下の温度になるようにして決めればよいが、通常９６重量％である。
【０００８】
本発明の洗浄剤においてｔ−ブタノールと併用する炭素数１〜３のアルコールとしては、メタノール、エタノール、ノルマルプロパノール（以下「ｎ−プロパノール」という）およびイソプロパノール（以下「ｉ−プロパノール」という）を挙げることができ、これらの炭素数１〜３のアルコールの１種または２種以上を用いることができる。
そして、ｔ−ブタノール１００重量部に対して、前記した炭素数１〜３のアルコールの１種または２種以上を１５０重量部以下の割合で混合して、融点が１５℃以下、好ましくは０℃以下、より好ましくは−１０℃以下のアルコール混合物を調製して本発明の洗浄剤とする。
【０００９】
そのうちでも、本発明の洗浄剤は、（ｉ）ｔ−ブタノールとエタノールとからなる、炭化水素溶剤を含まない洗浄剤であるか、或いは（ii）ｔ−ブタノールとエタノールとｎ−プロパノールおよびｉ−プロパノールの一方または両方とからなる、炭化水素溶剤を含まない洗浄剤であることが、洗浄力が高く、安全性、取り扱い性、速乾性などの点で一層優れたものとなる点からより好ましい。
【００１０】
ｔ−ブタノールとエタノールとからなる、炭化水素溶剤を含まない上記（ｉ）の洗浄剤は、ｔ−ブタノール４０〜９６重量％とエタノール６０〜４重量％とからなることが、洗浄力が高く、融点が１５℃以下（一般に０℃以下）であって取り扱い性に優れ、且つ速乾性などの点でも優れる洗浄剤が得られる点から好ましく、ｔ−ブタノール４５〜９５重量％およびエタノール５５〜５重量％からなることがより好ましい。
【００１１】
また、ｔ−ブタノールとエタノールとｎ−プロパノールおよびｉ−プロパノールの一方または両方とからなる炭化水素溶剤を含まない上記（ii）の洗浄剤は、ｔ−ブタノール４０〜９６重量％とエタノール４５〜３．５重量％とｎ−プロパノールおよびｉ−プロパノールの一方または両方１５〜０．５重量％とからなる、炭化水素溶剤を含まない洗浄剤であることが、洗浄力が高く、融点が１５℃以下（一般に０℃以下）であって取り扱い性に優れ、且つ速乾性などの点でも優れる洗浄剤が得られる点から好ましい。この（ii）の洗浄剤では、特に、ｔ−ブタノール４５〜９５重量％とエタノール４５〜４．３重量％とｎ−プロパノールおよび／またはｉ−プロパノール１０〜０．７重量％とからなる、炭化水素溶剤を含まない洗浄剤であることがより好ましい。
また、本発明の洗浄剤は、発明の主旨を損なわない範囲でアセトン、酢酸エチルなどの溶剤（但し炭化水素溶剤は除く）；界面活性剤；安定剤などを少量含有していてもよい。
【００１２】
本発明の洗浄剤の調製法は特に制限されず、ｔ−ブタノールと、炭素数１〜３のアルコールの少なくとも１種を任意の順序および方法で混合することによって調製することができる。その際の混合温度も特に制限されないが、一般に、２５〜３５℃の温度で混合することが好ましく、それによってｔ−ブタノールおよび炭素数１〜３のアルコールの変質、揮発、引火、漏洩などを防止しながら、両者が均一に混合した洗浄剤を得ることができる。
【００１３】
本発明の洗浄剤は、電気・電子部品、光学部品、自動車部品をはじめとする各種精密機器、その他の機械装置や器具、ガラス、プラスチック、セラミック製品などに付着している各種の油脂性物質、例えば切削油、加工油、フラックス、ワックスなどの油脂性物質を取り除くのに有効に使用することができる。
本発明の洗浄剤を用いて洗浄を行う際の洗浄方法は特に制限されず、従来と同様に行うことができ、例えば、本発明の洗浄剤を被洗浄品に噴霧、ハケ塗り、その他の方法で塗布し、次いで拭き取ってもよいし、本発明の洗浄剤中に被洗浄品を浸漬してもよいし、または塗布と浸漬を併用してもよい。
【００１４】
【実施例】
以下に本発明について具体的に説明するが、本発明はそれにより何ら限定されない。
【００１５】
《実施例１〜３》
ｔ−ブタノールとエタノールを下記の表１に示す割合（重量比）で３０℃で混合して洗浄剤を調製し、その融点を測定したところ表１に示すとおりであった。
【００１６】
《実施例４〜８》
ｔ−ブタノール、エタノール、ｎ−プロパノールおよびｉ−プロパノールを下記の表１に示す割合（重量比）で３０℃で混合して洗浄剤を調製し、その融点を測定したところ表１に示すとおりであった。
【００１７】
《実施例９〜１１》
ｔ−ブタノールに、エタノール系アルコール混合物（日本化成品株式会社製「ソルミックスＡＰ−７」；エタノール８５．５重量％、ｎ−プロパノール９．６重量％およびｉ−プロパノール４．９重量％からなるアルコール混合物）を下記の表１に示す割合（重量比）で３０℃で混合して洗浄剤を調製し、その融点を測定したところ表１に示すとおりであった。
【００１８】
《洗浄試験例１》
（１）  ステンレススチールからなる試験片（材質ＳＵＳ−３０４，縦×横＝１００ｍｍ×５０ｍｍ、厚さ１ｍｍ）をメタノールとアセトンで順次洗浄し、次いで、４０℃の乾燥器中に３０分間放置した後、デシケーター中で室温に冷却してから最小単位０．１ｍｇの精度で秤量（Ｗ0）（ｍｇ）した。
（２）  上記（１）で秤量した試験片の下半分に、油脂性物質として油性切削油（佐藤特殊製油社製「プラスドールＣＵ９５」）、水性切削油（佐藤特殊製油社製「ベースゾール９５」）またはプレス油（アルファチック社製「オメガ６１３」）を筆を使用して塗布し、１００℃のオーブン中に３０分間保持した後、室温に冷却してから重量（Ｗ1）（ｍｇ）を測定した。
（３）  次いで、上記（２）で準備した油脂性物質が付着している試験片を、実施例１〜１１の各洗浄剤３００ｍｌ中に浸漬し、室温（２５℃）にて２分間の超音波（２８ＫＨｚ，２５０Ｗ）処理を行って洗浄した後、試験片を洗浄剤中から取り出し、３００ｍｌの同組成の洗浄剤の液中に浸漬し、室温（２５℃）にて２分間揺動してリンス（すすぎ）した。
【００１９】
（４）  上記（３）の洗浄処理を行った試験片を洗浄剤中から取り出し、８０℃の温風乾燥器中で５分間乾燥した後、試験片を秤量（Ｗ2）（ｍｇ）して、下記の数式（ｉ）により、試験片における油脂性物質の残存率を求めた。
【００２０】
【数１】
油脂性物質の残存率(％)＝｛(Ｗ2−Ｗ0)／(Ｗ1−Ｗ0)｝×１００   (ｉ)
【００２１】
実施例１〜１１の洗浄剤の洗浄力を、下記の表２に示す評価基準にしたがって評価したところ、下記の表３に示すとおりであった。
また、参考のために、ｔ−ブタノール、エタノール、ｎ−プロパノール、ｉ−プロパノール単独および上記した「ソルミックスＡＰ」をそれぞれ単独で用いて、上記と同様の洗浄試験を行ったところ、下記の表３に示すとおりであった。
その場合に、ｔ−ブタノールは前述のように融点が約２６℃で常温で固体であるために、単独では洗浄剤として使用することができず、またエタノール、ｎ−プロパノール、およびｉ−プロパノールは、いずれも、単独では洗浄効果が期待できず、実用価値のある洗浄剤としては適していなかった。
なお、エタノールを主成分とし、ｎ−プロパノールおよびｉ−プロパノールを少量成分として含む「ソルミックスＡＰ」は、一般に、塗料、染料等の希釈剤として用いられているエタノール製品であって、洗浄剤として使用し得るものではない。
【００２２】
【表１】
0003942244.tif 000002
【００２３】
【表２】
［洗浄剤の洗浄力の評価基準］

◎：試験片における油脂性物質の残存率が０.１％未満
○：試験片における油脂性物質の残存率が０.１％以上０.５％未満
△：試験片における油脂性物質の残存率が０.５％以上２％未満
×：試験片における油脂性物質の残存率が２％以上

【００２４】
【表３】
0003942244.tif 000003
【００２５】
上記の表３の結果から、ｔ−ブタノールと炭素数１〜３のアルコールの少なくとも１種からなり、ｔ−ブタノールの含有量が４０重量％以上で、且つ融点が１５℃以下である実施例１〜１１の洗浄剤は、油性切削油、水性切削油、プレス油などの各種の油脂性物質に対する洗浄力が高くて汎用性があること、しかも常温で液状を呈しており、取り扱い性の点でも優れており、実用価値のある洗浄剤として有効に使用できることがわかる。
そのうちでも、ｔ−ブタノールとエタノールからなる実施例１〜３の洗浄剤、およびｔ−ブタノール、エタノール並びにｎ−プロパノールおよび／またはｉ−プロパノールからなる実施例４〜６および実施例９〜１１の洗浄剤は、各種の油脂性物質に対して高い洗浄力を有し、極めて有効であることがわかる。
【００２６】
【発明の効果】
本発明の洗浄剤は、種々の油脂性物質に対して高い洗浄力を発揮するため、汎用性のある洗浄剤として、電気・電子部品、光学部品などの各種精密機器、その他の機械装置や器具、ガラス、プラスチック、セラミック製品などからの油脂性物質の洗浄除去に有効に用いることができる。
さらに、本発明の洗浄剤は速乾性であるため、洗浄作業の効率化をはかることができる。
また、本発明の洗浄剤は、安全性および取り扱い性に優れており、しかも廃水処理の点で問題が少ない。
そして、本発明の洗浄剤はハロゲン系化合物を含まないので、成層圏のオゾン層の破壊、温室効果等の地球環境の悪化を招かず、従来のハロゲン系化合物を含む洗浄剤の代替洗浄剤として極めて高度の利用価値を有する。
さらに、本発明の洗浄剤は、経済的な価格で容易に入手可能なｔ−ブタノールおよび炭素数１〜３のアルコールに基づくものであるため、低コストで利用者に提供することができる。